(57)【要約】      （修正有）【課題】不定期に、しかも満水状態とならずに下水管に排出される下水の排出量を正確に計量する方法及び装置を安価に提供する。【解決方法】下水管２の一部に下水充満部６を形成し、該下水充満部６に流量計７を配置して下水の排出量を計量する。なお、前記下水充満部６は、下水管２の一部の立ち上げ部５、あるいは下水管２の一部の下方への屈曲部８によって形成する。【選択図】図１
2005121383.tif 000002
【特許請求の範囲】
【請求項１】
下水管の一部に下水充満部を形成し、該下水充満部に流量計を配置して下水の排出量を計量することを特徴とする下水計量方法。
【請求項２】
下水充満部が下水管の一部を立ち上げて形成されたことを特徴とする請求項１記載の下水計量方法。
【請求項３】
立ち上げをなだらかに形成したことを特徴とする請求項２記載の下水計量方法。
【請求項４】
下水充満部が下水管の一部を下方へ屈曲させて形成されたことを特徴とする請求項１記載の下水計量方法。
【請求項５】
下方への屈曲をなだらかに形成したことを特徴とする請求項４記載の下水計量方法。
【請求項６】
下水管の一部に下水充満部が形成され、該下水充満部に流量計を配置したことを特徴とする下水計量装置。
【請求項７】
下水充満部が下水管の一部の立ち上げによって形成されたことを特徴とする請求項６載の下水計量装置。
【請求項８】
立ち上げ部をなだらかに形成したことを特徴とする請求項７記載の下水計量装置。
【請求項９】
下水充満部が下水管の一部を下方への屈曲部によって形成されたことを特徴とする請求項６記載の下水計量装置。
【請求項１０】
下方への屈曲部をなだらかに形成したことを特徴とする請求項９記載の下水計量装置。
【発明の詳細な説明】
【技術分野】
【０００１】
本発明は、下水計量方法及びその装置、詳しくは、下水の排出量を正確に計量する方法及び装置に関する。
【背景技術】
【０００２】
従来、上下水道を利用する事業所、一般家庭では、それぞれ上水道及び下水道の使用料金及び排出料金を支払っている。前記上水道の場合には、上水道管が満水状態にあり、その使用量の計量は、いわゆる一般の流量計で容易であり、その使用料金も正確に算出することができる。
【０００３】
しかしながら、下水道の場合には、下水管が常時満水状態ではないため、上水道に使用される前記一般の流量計では排出量を正確に計量することができない。
【０００４】
そこで、従来は、使用した上水と下水道に排出される下水の量が一般に比例することに鑑み、上水の使用量から下水の排出量を便宜的に算出して下水使用料金を算出している。
【特許文献１】特開昭１５−７５２０９号公報。
【０００５】
しかしながら、現実には、上水の使用量と下水の排出量が比例するとは限らない。すなわち、上水とともに井戸水等を使用した場合には、上水に比べて下水の排出量が多くなる。また、事業所等の事業内容によっては、上水の使用量に比べて下水の排出量がきわめて少ない場合がある。例えば、製氷業、ボイラー使用の事業所等においては、使用した上水に比べて下水の排出量がきわめて少ない。
【０００６】
前記事情に鑑み、地方公共団体にあっては、上水の使用量のうち公共下水道に排出されなかった下水の排出量を計量し、該計量が正確な計量器によって正確に行なわれたと認められる場合には、実際の下水排出量に応じた下水道料金を支払えばよいことが認められている。しかしながら、不定期に、しかも満水状態とならずに下水管に排出される下水の排出量の計量には困難を伴うものであった。
【発明の開示】
【発明が解決しようとする課題】
【０００７】
本発明は、前記事情に鑑み、下水の排出量を正確に計量する方法及び装置を提供することを目的とする。同時に、前記計量を安価な方法及び装置で行なうことを特徴とする。
【課題を解決するための手段】
【０００８】
前記目的を達成するため、請求項１の方法の発明は、下水管の一部に下水充満部を形成し、該下水充満部に流量計を配置して下水の排出量を計量するものである。従来下水管は、公共枡に向けて傾斜させて設けられており、排出される下水は前記下水管内を自然流下する構成とされている。本発明の方法では、前記公共枡に向けて傾斜させられた下水管の一部に下水充満部が形成される。そして、該下水充満部に流量計が配置される。
【０００９】
この請求項１の発明によれば、前記上水量と同様に、従来の流量計、すなわち、満水型の流量計により下水の排出量を正確に計量することができる。
【００１０】
請求項２の実施の一形態は、前記請求項１における下水充満部を、下水管の一部を立ち上げて形成したことを特徴とする。この方法によれば、形成された立ち上げ部の手前位置に下水充満部が形成され、該下水充満部に配置された流量計によって下水の排出量を正確に計量することができる。
【００１１】
請求項３の実施の一形態は、前記請求項２における下水充満部の立ち上げを、なだらかに形成したことを特徴とする。この方法によれば、下水中に固形物が含まれている場合にも、該固形物が前記下水充満部に滞留させられることがなく下水とともにスムーズに排出され、例えば、下水管の詰まり等が防止される。
【００１２】
請求項４の実施の一形態は、前記請求項１における下水充満部を、下水管の一部を下方へ屈曲させて形成したことを特徴とする。この方法によれば、形成された下方への屈曲部が下水充満部に形成され、該下水充満部に配置された流量計によって下水の排出量を正確に計量することができる。
【００１３】
請求項５の実施の一形態は、前記請求項４における下水充満部の下方への屈曲を、なだらかに形成したことを特徴とする。この方法によれば、下水中に固形物が含まれている場合にも、該固形物が前記下水充満部に滞留させられることがなく下水とともにスムーズに排出され、例えば、下水管の詰まり等が防止される。
【００１４】
請求項６の装置の発明は、下水管の一部に下水充満部が形成され、該下水充満部に流量計を配置したことを特徴とする。この構成によれば、前記請求項１に記載の方法の発明を効果的に実施することができ、従来の流量計、すなわち、満水型の流量計により下水の排出量を正確に計量することができる。
【００１５】
請求項７の実施の一形態は、前記請求項６における下水充満部が、下水管の一部の立ち上げによって形成されたことを特徴とする。この構成によれば、形成された立ち上げ部の手前位置に下水充満部が形成され、そこに配置された流量計によって下水の排出量を正確に計量することができる。
【００１６】
請求項８の実施の一形態は、前記請求項６における立ち上げ部をなだらかに形成したことを特徴とする。この構成によれば、下水中に固形物が含まれている場合にも、該固形物が前記下水充満部に滞留させられることがなく下水ともにスムーズに排出され、例えば、下水管の詰まり等が防止される。
【００１７】
請求項９の実施の一形態は、前記請求項６における下水充満部を、下水管の一部を下方への屈曲部によって形成したことを特徴とする。この構成によれば、下方への屈曲部によって形成された下水充満部に配置された流量計によって下水の排出量を正確に計量することができる。
【００１８】
請求項１０の実施の一形態は、前記請求項９における下方への屈曲部をなだらかに形成したことを特徴とする。この構成によれば、下水中に固形物が含まれている場合にも、該固形物が前記下水充満部に滞留させられることなく下水とともにスムーズに排出され、例えば、下水管の詰まり等が防止される。
【発明の効果】
【００１９】
本発明の方法及び装置によれば、従来、計量が困難であった下水の排出量を正確に計量することができ、しかも安価に提供できる効果が得られる。
【発明を実施するための最良の形態】
【００２０】
以下、本発明の実施の一形態を図面に基づいて説明する。図１は、本発明に係る下水計量装置の要部を概略的に示す説明図、図２は、他の実施の一形態を示す説明図、図３は、さらに他の実施の一形態を示す説明図、図４は、さらに他の実施の一形態を示す説明図、図５は、さらに他の実施の一形態を示す説明図である。
【００２１】
図１において、１は、例えば、工場、その他の事業所であり、２は下水管、３は公共枡、４は下水道本管である。なお、前記下水管２は、詳細を図示していないが、前記事業所１から前記公共枡３に向けて傾斜状態を保って地中（私有地、公有地）に埋設させられている。本発明では、前記下水管の一部に下水充満部が形成され、該下水充満部に流量計が配置される。
【００２２】
図１では、前記下水管２の一部に立ち上げ部５を形成して下水充満部６を形成している。すなわち、同図では、前記立ち上げ部５が誇張されて表され、その手前位置（斜線部分）が前記下水充満部６とされている。なお、前記立ち上げ部５は、前記下水管２の直径以上、上方に立ち上げることにより前記下水充満部６を形成することができる。
【００２３】
さらに、本発明では、前記下水充満部６に流量計７が配置される。本発明で使用される前記流量計７は、従来一般に使用されている満水型の流量計でよい。
【００２４】
前記構成の本発明によれば、下水が不定期に排出され、また、下水の排出が一時中段した場合であっても、前記下水充満部６の満水状態が常に維持される。したがって、その後供給される下水は、前記下水充満部６を通過するとともに、該下水充満部６に配置された流量計７によって正確に計量される。
【００２５】
図２の実施の一形態は、前記図１における立ち上げ部５をなだらかに形成した場合である。この実施の一形態によれば、下水中に固形物が含まれている場合にも、該固形物が前記なだらかに形成された立ち上げ部５に滞留させられることがなく、下水とともにスムーズに排出され、例えば、下水管の詰まり等が防止される。
【００２６】
図３の実施の一形態は、前記下水充満部６を、前記下水管２の一部を下方へ屈曲させて形成した場合である。この実施の一形態によれば、形成された下方への屈曲部８が、前記下水充満部６とされ、同時に前記屈曲部８に前記流量計７が配置される。この実施の一形態によっても、前記図１及び図２の実施例と同様に下水の排出量の計量が可能である。
【００２７】
図４の実施の一形態は、前記図３における屈曲部８をなだらかに形成した場合である。この実施の一形態によれば、下水中に固形物が含まれている場合にも、該固形物が前記なだらかに形成された下方への屈曲部８に滞留させられることがなく、下水とともにスムーズに排出され、例えば、下水管２の詰まり等が防止される。
【００２８】
図５の実施の一形態は、下水計量のための専用枡９を設けた例である。すなわち、前記専用枡９の一側に前記下水管２が連結され、内部に水中ポンプ１０（図面実施例では二台）が設けられ、該水中ポンプ１０の吐出管１１の適位置に前記流量計７を設け、前記吐出管１１を公共枡３に導いてなる。
【００２９】
図中、１２は、前記水中ポンプ１０の駆動及び前記流量計７の計量状態を制御するボールタップである。また、図面実施例では、水中ポンプが二台設けられているが、同時に駆動させることなく、一方は予備であり、他方にトラブルが生じた場合に使用されるものである。
【図面の簡単な説明】
【００３０】
【図１】本発明に係る下水計量装置の要部を概略的に示す説明図である。
【図２】他の実施の一形態を概略的に示す説明図である。
【図３】さらに他の実施の一形態を概略的に示す説明図である。
【図４】さらに他の実施の一形態を概略的に示す説明図である。
【図５】さらに他の実施の一形態を概略的に示す説明図である。
【符号の説明】
【００３１】
２      下水管
５      立ち上げ部
６      下水充満部
７      流量計
８      下方への屈曲部
【図１】
2005121383.tif 000003
【図２】
2005121383.tif 000004
【図３】
2005121383.tif 000005
【図４】
2005121383.tif 000006
【図５】
2005121383.tif 000007